(57)【要約】      （修正有）【課題】対象物に体裁よく取り付けることが可能なタグ型インデックスを提供する。【解決手段】基板２の厚さ方向両側の平坦面ｐに第１接着層６ａを介して一対の可撓性シート片４を接着してなるインデックス部Ａと、前記一対の可撓性シート片４を前記平坦面ｐの面内方向同一向きへ延長して、先端が自由端eである一対の延長部分４ｂを形成するとともに、これら延長部分４ｂの各内面に第２接着層６ｂを設けてなる一対の脚部Ｂとを具備する。前記一対の脚部Ｂは、前記インデックス部Ａから、前記基板２の外周の一部である直線状の基辺を介して突設されており、この基辺に連なる基板２の端面を、平らな基端面ｓとしている。【選択図】図１
2019104199.tif 000002
【特許請求の範囲】
【請求項１】
基板(２)の厚さ方向両側の平坦面(ｐ)に第１接着層(６ａ)を介して一対の可撓性シート片(４)を接着してなるインデックス部(Ａ)と、
前記一対の可撓性シート片(４)を前記平坦面(ｐ)の面内方向同一向きへ延長して、先端が自由端(e)である一対の延長部分(４ｂ)を形成するとともに、これら延長部分(４ｂ)の各内面に第２接着層(６ｂ)を設けてなる一対の脚部(Ｂ)とを具備することを特徴とする、タグ型インデックス。
【請求項２】
前記一対の脚部(Ｂ)は、前記インデックス部(Ａ)から、前記基板(２)の外周の一部である直線状の基辺(ＬＢ)を介して突設されており、この基辺(ＬＢ)に連なる基板(２)の端面を、平らな基端面(ｓ)としたことを特徴とする、請求項１に記載のタグ型インデックス。
【請求項３】
前記一対の可撓性シート片(４)の各内面に剥離シート(８)をそれぞれ接着したことを特徴とする、請求項２に記載のタグ型インデックス。
【請求項４】
前記一対の脚部(Ｂ)の一方をインデックス部(Ａ)からの突出長が長い第１脚部(Ｂ１)とし、他方を、インデックス部(Ａ)からの突出長が短い第２脚部(Ｂ２)としたことを特徴とする、請求項１から請求項３のいずれかに記載のタグ型インデックス。
【発明の詳細な説明】
【技術分野】
【０００１】
本発明は、タグ型インデックス、特に取付対象であるクリアファイルやノートなど（以下「シート状体」という）の縁部から突出するように取り付けられるタグ型インデックスに関する。
【背景技術】
【０００２】
この種のタグ型インデックスとして、折り目線を介在して連続する一対の矩形の紙製ピースからなり、これら紙製ピースのうちの折り目線から遠い一辺より一定巾の部分を脚部として残し、残りの部分に文字を書き込むための矩形枠を印刷してインデックス部としてなるものが知られている（特許文献１の図９参照）。このタグ型インデックスを使用するときには、前述のシート状体の縁部を前記一対の紙製ピースの脚部で挟むことで、シート状体からインデックス部が突出されるように設ける。
【先行技術文献】
【特許文献】
【０００３】
【特許文献１】特開２００５−２８８７９５
【発明の概要】
【発明が解決しようとする課題】
【０００４】
特許文献１のタグ型インデックスは、インデックス部から脚部に亘って一枚の紙製ピースで形成されているために、利用者が目視によりインデックス部及び脚部の境目をシート状体の縁に合わせる位置決め作業が必要である。このために、複数のクリアファイルにそれ俺タグ型インデックスを取り付ける場合に、位置決め作業が不正確であるために、クリアファイルからのインデックスの突出長が不揃いになったり（本願図９のＤ１及びＤ３参照）、或いはクリアファイルの縁に対してインデックスが傾いて取り付けられ（本願図９のＤ２参照）、体裁を損なう可能性があった。
【０００５】
本発明の第１の目的は、対象物に体裁よく取り付けることが可能なタグ型インデックスを提供することである。
本発明の第２の目的は、使い勝手の良いタグ型インデックスを提供することである。
【課題を解決するための手段】
【０００６】
第１の手段は、基板２の厚さ方向両側の平坦面ｐに第１接着層６ａを介して一対の可撓性シート片４を接着してなるインデックス部Ａと、
前記一対の可撓性シート片４を前記平坦面ｐの面内方向同一向きへ延長して、先端が自由端eである一対の延長部分４ｂを形成するとともに、これら延長部分４ｂの各内面に第２接着層６ｂを設けてなる一対の脚部Ｂとを具備する。
【０００７】
本手段では、図１に示すように、タグ型インデックス１を、インデックス部Ａと一対の脚部Ｂとで形成している。
前記インデックス部Ａは、基板２の厚さ方向両側の平坦面ｐに第１接着層６ａを介して一対の可撓性シート片４を接着している。そして一対の脚部Ｂは、一対の可撓性シート片４を前記平坦面ｐの面内方向同一向きへ延長して、先端が自由端eである一対の延長部分４ｂを形成しており、これら延長部分４ｂの各内面に第２接着層６ｂを設けている。
従って、クリアファイルなどのシート状体にタグ型インデックス１を取り付けるときには、シート状体の縁にインデックス部Ａの基板２の端面を突き当て、この状態で、インデックス部Ａから延びる一対の脚部Ｂを張り付ければ良い。前記基板２の突き当てにより図５（Ａ）に示す如く、シート状体Ｆへの貼付代Ｍ１が一様に定まり、同時にシート状体Ｆからのインデックスの突出長さＭ２も一定に決まる。従って複数のタグ型インデックスをシート状体Ｆに貼り付けたときの突出長さが不揃いになることがない。
【０００８】
「インデックス部」は、可撓性シート片のうちの延長部分を除く部分（主シート部）が基板全体を覆う層構造（図１参照）としてもよく、基板の一部を可撓性シート片の主シート部が覆う構造としてもよい。
「平坦面」は、接着層を介して可撓性シート片を接着できる程度に平坦であれば足りる。基板の表側及び裏側の全体が平坦である必要はないものとし、中心部にリング孔を開口したリング形状の構成も排除しない。
第１接着層及び第２接着層は、単一の層としてもよく、異なる層としてもよい。後者の場合に性質を異にするもの（例えば前者は剥離不能な狭義の接着層、後者は剥離可能な粘着層）とすることができる。
「一対の可撓性シート片」とは、基板２の両側から延びているものであればよく、本願図８に示すように、一枚の可撓性シートから形成される構造を除外しないものとする。
【０００９】
第２の手段は、第１の手段を有し、かつ
前記一対の脚部Ｂは、前記インデックス部Ａから、前記基板２の外周の一部である直線状の基辺ＬＢを介して突設されており、この基辺ＬＢに連なる基板２の端面を、平らな基端面ｓとしている。
【００１０】
本手段では、図１に示す如く、一対の脚部Ｂは、前記インデックス部Ａから、前記基板２の外周の一部である直線状の基辺ＬＢを介して突設されている。この基辺ＬＢに連なる基板２の端面を、平らな基端面ｓとしている。これにより、基板２をシート状体に突き当てると基板２の基端面ｓとシート状体Ｆの端面であるため、次の作用が得られる。
（イ）シート状体Ｆの正面から見て、その縁線ｆ４に対してタグ型インデックス１が傾斜することを防止できる。
（ロ）前記シート状体Ｆの縁線ｆ４が直線である場合には、図４に示す如く、当該縁線に沿ってタグ型インデックスをスライドさせて縁線方向に位置決めすることが容易となる。
（ハ）前記シート状体Ｆの厚さと前記基板２の厚さとが同じである場合には、図５（Ａ）に示す如く、基板２の基端面ｓ及び両脚部Ｂの内面がシート状体Ｆの対応する箇所に密着され、これによりシート状体Ｆからのインデックス部Ａの突出方向が安定する。
【００１１】
第３の手段は、第２の手段を有し、かつ
前記一対の可撓性シート片４の第２接着層６ｂを覆う剥離シート８をそれぞれ設けている。
【００１２】
単純に一対の可撓性シート片４の第２接着層６ｂを保護するためだけであれば、２枚の可撓性シート片４の延長部分４ｂの第２接着層６ｂは互いに向かい合っているのであるから、２つの第２接着層６ｂの間に１枚の剥離シートを設けるだけでも十分である。これに対して、本手段では、一対の可撓性シート片４の第２接着層６ｂを覆う剥離シート８をそれぞれ設けることを特徴とする。これにより、図４に示す如く、基板２の基端面ｓをシート状体Ｆの対応する端面ｆ３に沿ってスライドさせて位置合わせを行う場合に、可撓性シート片４の第２接着層６ｂがシート状体Ｆに接着することがなく、スライド操作を容易に行うことができる。
【００１３】
第４の手段は、第１の手段から第３の手段のいずれかを有し、かつ
前記一対の脚部Ｂの一方をインデックス部Ａからの突出長が長い第１脚部Ｂ１とし、他方を、インデックス部Ａからの突出長が短い第２脚部Ｂ２とした。
【００１４】
本手段では、図７に示す如く、インデックス部Ａからの一方の脚部Ｂ１の突出長を、他方の脚部Ｂ２の突出長より短くしている。従って２つの脚部をハの字状の拡開させるときに、長い第１脚部Ｂ１を摘まんで外側へ屈折させ、次に短い第２脚部Ｂ２を摘まんで外側へ屈折させればよいので、操作がし易い。
【発明の効果】
【００１５】
第１の手段に係る発明によれば、インデックス部Ａの基板２の両側の平坦面ｐに接着された可撓性シート片４を延長して、この延長部分の内側に第２接着層６ｂを設けた一対の脚部Ｂを形成したから、クリアファイル等のシート状体の一辺に前記基板２を突き当てて両脚部Ｂをシート状体の両側に接着することにより、シート状体への貼着代が一定となり、これによりシート状体の縁からのインデックスの突出長も一定となるから、見栄えがよい。
第２の手段に係る発明によれば、前記一対の脚部Ｂは、前記インデックス部Ａから、前記基板２の外周の一部である直線状の基辺ＬＢを介して突設されており、この基辺ＬＢに連なる基板２の端面を、平らな基端面ｓとしたから、この基端面ｓを前記シート状体の縁に当接することで、取付状態でのインデックスの姿勢が一定となる。
第３の手段に係る発明によれば、前記一対の可撓性シート片４の各内面に剥離シート８をそれぞれ接着したから、前記基板２の基端面ｓを物品の縁に沿ってスライドして位置決めするときに、そのスライド後に剥離シート８を剥がすことにより、スライド作業を行うことができる。
第４の手段に係る発明によれば、一対の脚部Ｂの一方をインデックス部Ａからの突出長が長い第１脚部Ｂ１とし、他方を、インデックス部Ａからの突出長が短い第２脚部Ｂ２としたから、これら脚部Ｂをシート状体に取り付ける作業が容易となる。
【図面の簡単な説明】
【００１６】
【図１】本発明の第１実施形態に係るタグ型インデックスの縦断面図である。
【図２】図１のタグ型インデックスの平面図である。
【図３】図１のタグ型インデックスの貼り付け作業の説明図であり、  同図（Ａ）は一対の脚部を広げた段階を、  同図（Ｂ）は広げた一対の脚部の間にシート状体を挿入した段階を、  同図（Ｃ）は一対の脚部をシート状体の表外面及び裏外面に貼り付けた段階を、それぞれ示している。
【図４】図１のタグ型インデックスをシート状体の縁に沿ってスライドさせて位置決めする作業の説明図である。
【図５】図１のタグ型インデックスの使用状態の説明図であり、同図（Ａ）は、基板と同じ厚さのクリアファイルに取り付けた状態を、同図（Ｂ）は、当該クリアファイルに紙片を挟んだ状況での取り付け状態をそれぞれ示している。
【図６】本発明の第２実施形態に係るタグ型インデックスを示す図であり、同図（Ａ）その縦断面図を、同図（Ｂ）はその平面図をそれぞれ示している。
【図７】本発明の第３実施形態に係るタグ型インデックスを示す図であり、同図（Ａ）その縦断面図を、同図（Ｂ）はその平面図をそれぞれ示している。
【図８】本発明の第４実施形態に係るタグ型インデックスを示す図であり、同図（Ａ）その縦断面図を、同図（Ｂ）はその平面図をそれぞれ示している。
【図９】従来技術の説明図である。
【発明を実施するための最良の形態】
【００１７】
図１から図４は、本発明の第１実施形態に係るタグ型インデックスを示している。
このタグ型インデックス１は、本実施形態では、一枚の基板２と、一対の可撓性シート片４とで形成されている。
【００１８】
基板２は、後述のインデックス部Ａの基材となる部材である。この基板２は、インデックスとしての保形性を発揮できる程度の強度を有する。すなわち、後述の脚部Ｂを介してシート状体Ｆに固定したときにシート状体Ｆの縁から突設された状態を保持できる程度の強度を有ればよく、指で屈曲させることが可能なものも除外されない。
前記基板２の表面及び裏面は平坦面ｐに形成されている。
前記基板２の材質は、例えばプラスチック板や厚紙などとすることができる。
前記基板２の形状は、その外周の少なくとも一部を直線的な基辺ＬＢとする形とすることが好適である。図示の基板２は、矩形に形成されているが、一辺を基辺ＬＢとする三角形・五角形などの多角形状であっても良いし、また図６〜図８に示すように一辺を基辺ＬＢとする欠円形状としても構わない。また図示はしないが、外周を前記欠円とするリング板形状とし、そのリング孔を指掛け孔として、タグ機能（引っ張り機能）を向上させた構造としても構わない。なお、前記基辺を有しない形状（円形など）も本発明の技術的範囲からは除外されないものとする。
【００１９】
可撓性シート片４は、前記基板２よりも薄い材料で形成することが望ましく、例えば合成樹脂製フィルム材や薄紙で形成することができる。
一対の可撓性シート片４は、前記基板２の平坦面ｐに第１接着層６ａを介して貼り付けられた主シート部４ａと、この主シート部４ａから前記基辺ＬＢを介して前記平坦面ｐの面内方向同一向きに延長される延長部分４ｂとで形成されている。
これら延長部分４ｂの先端部は自由端eであり、延長部分４ｂの内面には、第２接着層６ｂがそれぞれ形成されている。図示例では、主シート部４ａの第１接着層６ａ及び延長部分４ｂの第２接着層６ｂを、主シート部４ａ及び延長部分４ｂに亘って形成される単一の接着層６で形成しているが、第１接着層６ａ及び第２接着層６ｂを別々に形成してもよく、一つの実施例として第１接着層６ａを剥離不能な接着層に、第２接着層を剥離して再貼り付けすることが可能な粘着層としても良い。
図示例では、可撓性シート片４を帯状に形成し、その一半部を主シート部４ａとし、他半部を延長部分４ｂとしている。
【００２０】
前記一対の延長部分４ｂの内面は剥離シート８でそれぞれ覆われている。
【００２１】
前記基板２と一対の主シート部４ａと一対の第１接着層６ａとでインデックス部Ａを形成し、延長部分４ｂと第２接着層６ｂと剥離シート８とで脚部Ｂを形成している。
本実施形態では、一対の主シート部４ａが基板２の表裏全部を覆うことで、第１接着層６ａ全体が層構造に形成されている。もっともこの構造は適宜変更することができる。
【００２２】
上記構成において、本願のタグ型インデックス１をクリアファイルなどのシート状体Ｆに取り付けるときには、図１の状態から、一対の脚部Ｂをハの字状に拡開するとともに各脚部Ｂの内側の剥離シート８を剥離し（図３（Ａ）参照）、
次にこれら脚部Ｂの間にシート状体Ｆを挿入して、シート状体Ｆの端面ｆ３を基板２の基端面ｓに突き当て（図３（Ｂ）参照）、
そして一対の脚部Ｂを閉じて、各脚部Ｂの第２接着層６ｂをシート状体Ｆの表外面ｆ１及び裏外面ｆ２に接着させる（図３（Ｃ）参照）。
シート状体Ｆの端面ｆ３を基板２の基端面ｓに突き当ることにより、図５（Ａ）に示す如く、シート状体Ｆへの貼付代Ｍ１が一様に定まり、同時にシート状体Ｆからのインデックスの突出長さＭ２も一定に決まる。従って本願図９に示す従来品Ｄ１やＤ３の如く需要者の目視による位置決めの不正確さから突出長が不揃いになることがない。
また図５（Ａ）に示すように、シート状体Ｆの厚さと前記基板２の厚さとが同じである場合には、基板２の基端面ｓ及びシート状体Ｆの対応する端面ｆ３、一方の脚部Ｂの内面及びシート状体Ｆの表外面ｆ１、他方の脚部Ｂの内面及びシート状体Ｆの裏外面ｆ２が密着する。これにより、クリアファイルであるシート状体Ｆに対するインデックス部Ａの突出方向が安定する。仮に同図（Ｂ）に示すようにクリアファイルに紙片を挟んだ状態でもやはりインデックス部Ａの突出方向がクリアファイルに対して傾斜することはない。
さらに基板２の基辺ＬＢが直線状であり、かつ基端面ｓが側方から見て平らであるから、本願図９に示す従来品Ｄ２の如くインデックスがクリアファイルの縁に対して傾斜することを防止できる。
さらに本発明では、図４に示す如く、前記基板２の基端面ｓをシート状体Ｆの端面ｆ３に対してスライドさせることにより、シート状体Ｆの縁に対してインデックス部Ａの位置決めを行うことができる。例えば複数のクリアファイルを閉じ込んだバインダーの各ファイルに各インデックス部Ａが重ならないように並べてタグ型インデックスを取り付けたい場合がある。こうしたときに、バインダーに綴じた複数のファイルのうちのどれかにまず１番目のインデックスを貼り付け、次に既に取り付けたインデックスの隣位置に合わせて、次のファイルに２番目のインデックスを取り付けることになる。
こうしたときには、前記基板２の基端面ｓをシート状体Ｆの端面ｆ３に対してスライドさせることにより、所望の位置にタグ型インデックス１を取り付けると良い。この場合に予め脚部Ｂから剥離シート８を剥がすと、基板２をスライドさせる途中で脚部Ｂの第２接着層６ｂがシート状体に触れると、スライド作業の妨げとなる。これを防止するためには、一対の脚部Ｂに剥離シート８が装着された状態でスライド作業を行い、前記位置決め作業が完了した段階で前記剥離シート８を剥離させれば良い。
【００２３】
以下、本発明の他の実施形態を示している。これらの実施形態の説明において第１実施形態と同じ構成については解説を省略する。
【００２４】
図６は、本発明の第２実施形態に係るタグ型インデックスを示している。本実施形態では基板２を、外周の一部を直線的な基辺ＬＢとする欠円形状としている。そして可撓性シート片４の主シート部４ａは、基板２の表裏両面のうちの前記基辺ＬＢ付近の部分のみを覆っている。
【００２５】
図７は、本発明の第３実施形態に係るタグ型インデックスを示している。本実施形態では、一対の脚部Ｂとして、足の長い第１脚部Ｂ１と足の短い第２脚部Ｂ２とを設けている。第１実施形態の図３（Ａ）に示すように一対の脚部Ｂをハの字状に拡開する際に、２枚の脚部Ｂの長さが同じであると、その一方の脚部Ｂを摘むことが難しいことがある。本実施形態の構成では、まず足の長い第１脚部Ｂ１を、次に足の短い第２脚部Ｂ２をそれぞれ摘んで外側へ屈折させれば良いので操作が簡単である。
【００２６】
図８は、本発明の第４実施形態に係るタグ型インデックスを示している。本実施形態では、基板の適所にスリット状の挿通孔ｈを開口するとともに、この挿通孔ｈに一枚の帯状の可撓性シートを挿通させ、挿通孔ｈから延びる可撓性シートの一半部及び他半部を前記一対の可撓性シート片４としている。
【符号の説明】
【００２７】
１…タグ型インデックス
２…基板  ４…可撓性シート片  ４ａ…主シート部  ４ｂ…延長部分
６…接着層  ６ａ…第１接着層  ６ｂ…第２接着層
８…剥離シート
Ａ…インデックス部  Ｂ…脚部、Ｂ１…第１脚部、Ｂ２…第２脚部
ｅ…自由端  Ｆ…シート状体  ｆ１…同表外面  ｆ２…同裏外面  ｆ３…同端面
ｈ…挿通孔  ＬＢ…基辺  Ｍ１…貼付代  Ｍ２…突出長さ  ｐ…平坦面  ｓ…基端面
【図１】
2019104199.tif 000003
【図２】
2019104199.tif 000004
【図３】
2019104199.tif 000005
【図４】
2019104199.tif 000006
【図５】
2019104199.tif 000007
【図６】
2019104199.tif 000008
【図７】
2019104199.tif 000009
【図８】
2019104199.tif 000010
【図９】
2019104199.tif 000011